【手続補正書】
【提出日】平成16年4月22日(2004.4.22)
【手続補正１】
【補正対象書類名】明細書
【補正対象項目名】発明の名称
【補正方法】変更
【補正の内容】
【発明の名称】波形等化回路及びデータ再生装置


【手続補正２】
【補正対象書類名】明細書
【補正対象項目名】特許請求の範囲
【補正方法】変更
【補正の内容】
【特許請求の範囲】
【請求項１】
記録単位毎に固定のパターンが予め記録された記録媒体から読み取られた読取信号に対して波形等化を行って等化補正読取信号を得る波形等化器であって、
前記読取信号中の前記固定のパターンに対応する部分の信号レベルに応じてリミットレベルを設定する設定手段と、
前記読取信号の振幅レベルを前記リミットレベルにて制限して振幅制限読取信号を得る振幅制限手段と、
前記振幅制限読取信号をフィルタリング処理したものを前記等化補正読取信号として出力するフィルタと、からなることを特徴とする波形等化器。
【請求項２】
前記設定手段は、前記読取信号中の前記固定のパターンに対応する部分の信号を積分してレベル検出するレベル検出手段と、
前記読取信号中の前記固定のパターンに対応する部分の終了時の前記レベル検出手段による検出レベルを保持してその保持した検出レベルに対応して前記リミットレベルを設定する保持手段と、を有することを特徴とする請
求項１記載の波形等化器。
【請求項３】
記録単位毎に固定のパターンが予め記録された記録媒体から読み取られた読取信号に対して波形等化を行って等化補正読取信号を得る波形等化器であって、
前記読取信号中の前記固定のパターンに対応する部分の信号レベルに応じて前記読取信号のレベルを調整するレベル調整手段と、
前記レベル調整手段によってレベル調整された読取信号の振幅レベルを固定リミットレベルにて制限して振幅制限読取信号を得る振幅制限手段と、
前記振幅制限読取信号をフィルタリング処理したものを前記等化補正読取信号として出力するフィルタと、からなることを特徴とする波形等化器。
【請求項４】
前記レベル調整手段は、前記読取信号中の前記固定のパターンに対応する部分の信号を積分してレベル検出するレベル検出手段と、
前記読取信号中の前記固定のパターンに対応する部分の終了時の前記レベル検出手段による検出レベルを保持する保持手段と、
前記保持手段によって保持された検出レベルと前記固定リミットレベルとを比較しその比較結果に応じて前記読取信号のレベルを変化させる手段と、を有することを特徴とする請求項３記載の波形等化器。
【請求項５】
記録単位毎に固定のパターンが予め記録された記録媒体から読み取られた読取信号に対して波形等化を行って等化補正読取信号を得る波形等化器を備えるデータ再生装置であって、
前記読取信号中の前記固定のパターンに対応する部分の信号レベルに応じてリミットレベルを設定する設定手段と、
前記読取信号の振幅レベルを前記リミットレベルにて制限して振幅制限読取信号を得る振幅制限手段と、
前記振幅制限読取信号をフィルタリング処理したものを前記等化補正読取信号として出力するフィルタと、
前記等化補正読取信号の２値を判定して、この判定結果に基づいて再生データを出力する２値判定手段と、からなることを特徴とするデータ再生装置。
【請求項６】
記録単位毎に固定のパターンが予め記録された記録媒体から読み取られた読取信号に対して波形等化を行って等化補正読取信号を得る波形等化器を備えるデータ再生装置であって、
前記読取信号中の前記固定のパターンに対応する部分の信号レベルに応じて前記読取信号のレベルを調整するレベル調整手段と、
前記レベル調整手段によってレベル調整された読取信号の振幅レベルを固定リミットレベルにて制限して振幅制限読取信号を得る振幅制限手段と、
前記振幅制限読取信号をフィルタリング処理したものを前記等化補正読取信号として出力するフィルタと、
前記等化補正読取信号の２値を判定して、この判定結果に基づいて再生データを出力する２値判定手段と、からなることを特徴とするデータ再生装置。
【手続補正３】
【補正対象書類名】明細書
【補正対象項目名】０００４
【補正方法】変更
【補正の内容】
【０００４】
【課題を解決するための手段】
本発明の波形等化器は、記録単位毎に固定のパターンが予め記録された記録媒体から読み取られた読取信号に対して波形等化を行って等化補正読取信号を得る波形等化器であって、読取信号中の固定のパターンに対応する部分の信号レベルに応じてリミットレベルを設定する設定手段と、読取信号の振幅レベルをリミットレベルにて制限して振幅制限読取信号を得る振幅制限手段と、振幅制限読取信号をフィルタリング処理したものを等化補正読取信号として出力するフィルタと、からなることを特徴としている。
かかる本発明の波形等化器によれば、記録媒体からの読取信号中の固定のパターンに対応する部分の信号レベルに応じてリミットレベルを設定することによりリミットレベルを実際の読取信号に対する適切値として得ることができるので、そのリミットレベルを用いて固定のパターン以外の読取信号の振幅レベルを制限すれば、振幅制限された信号に対してフィルタで高域強調を行なう際の符号間干渉を確実に防止することができる。


【手続補正４】
【補正対象書類名】明細書
【補正対象項目名】０００５
【補正方法】変更
【補正の内容】
【０００５】
また、本発明の波形等化器は、記録単位毎に固定のパターンが予め記録された記録媒体から読み取られた読取信号に対して波形等化を行って等化補正読取信号を得る波形等化器であって、読取信号中の固定のパターンに対応する部分の信号レベルに応じて読取信号のレベルを調整するレベル調整手段と、レベル調整手段によってレベル調整された読取信号の振幅レベルを固定リミットレベルにて制限して振幅制限読取信号を得る振幅制限手段と、振幅制限読取信号をフィルタリング処理したものを等化補正読取信号として出力するフィルタと、からなることを特徴としている。
かかる本発明の波形等化器によれば、記録媒体からの読取信号中の固定のパターンに対応する部分の信号レベルに応じて読取信号のレベルを調整することにより固定のリミットレベルに対する実際の読取信号を適切値として得ることができるので、そのレベル調整した読取信号の振幅を固定のリミットレベルを用いて制限すれば、振幅制限された信号に対してフィルタで高域強調を行なう際の符号間干渉を確実に防止することができる。


【手続補正５】
【補正対象書類名】明細書
【補正対象項目名】０００６
【補正方法】変更
【補正の内容】
【０００６】
本発明のデータ再生装置は、記録単位毎に固定のパターンが予め記録された記録媒体から読み取られた読取信号に対して波形等化を行って等化補正読取信号を得る波形等化器を備えるデータ再生装置であって、読取信号中の固定のパターンに対応する部分の信号レベルに応じてリミットレベルを設定する設定手段と、読取信号の振幅レベルをリミットレベルにて制限して振幅制限読取信号を得る振幅制限手段と、振幅制限読取信号をフィルタリング処理したものを等化補正読取信号として出力するフィルタと、等化補正読取信号の２値を判定して、この判定結果に基づいて再生データを出力する２値判定手段と、からなることを特徴としている。


【手続補正６】
【補正対象書類名】明細書
【補正対象項目名】０００７
【補正方法】変更
【補正の内容】
【０００７】
また、本発明のデータ再生装置は、記録単位毎に固定のパターンが予め記録された記録媒体から読み取られた読取信号に対して波形等化を行って等化補正読取信号を得る波形等化器を備えるデータ再生装置であって、読取信号中の固定のパターンに対応する部分の信号レベルに応じて読取信号のレベルを調整するレベル調整手段と、レベル調整手段によってレベル調整された読取信号の振幅レベルを固定リミットレベルにて制限して振幅制限読取信号を得る振幅制限手段と、振幅制限読取信号をフィルタリング処理したものを等化補正読取信号として出力するフィルタと、等化補正読取信号の２値を判定して、この判定結果に基づいて再生データを出力する２値判定手段と、からなることを特徴としている。